(57)【特許請求の範囲】
【請求項１】
有効成分として、
一般式：ＲＣＨ＝ＣＨ（ＣＨ２）ｎＳＯ３Ｚ（Ｒは炭素数８〜３０の脂肪族炭化水素基、ｎは０〜５、Ｚはアルカリ金属および／またはアルカリ土類金属）で表されるアルファオレフィンスルホン酸塩と、
化学式：Ｃ１２Ｈ２５Ｎ＋（ＣＨ３）２ＣＨ２ＣＯＯ−で表されるラウリルジメチルアミノ酢酸ベタインとを含む環境配慮型泡消火薬剤であって、
上記アルファオレフィンスルホン酸塩の有効成分濃度と上記ラウリルジメチルアミノ酢酸ベタインの有効成分濃度の合計は、２．６２７８〜３．８０１０重量％の範囲であることを特徴とする環境配慮型泡消火薬剤。
【請求項２】
上記アルファオレフィンスルホン酸塩の有効成分濃度は、１．３〜３．０重量％の範囲であることを特徴とする請求項１に記載の環境配慮型泡消火薬剤。
【請求項３】
上記ラウリルジメチルアミノ酢酸ベタインの有効成分濃度は、０．３〜１．３重量％の範囲であることを特徴とする請求項１または２に記載の環境配慮型泡消火薬剤。
【発明の詳細な説明】
【技術分野】
【０００１】
本発明は、泡消火薬剤に係り、特に環境に配慮した泡消火薬剤に関するものである。
【背景技術】
【０００２】
一般的に、泡消火薬剤は、主として水による消火では効果が少ないか、あるいは却って火災を拡大するおそれのある可燃性の液体火災に用いられるもので、特に第４類危険物の消火薬剤として最も重要なものである（例えば、下記特許文献１。）。
【０００３】
この泡消火薬剤としては、加水分解たん白質を主成分とした、たん白泡消火薬剤や、たん白泡消火薬剤にフッ素系界面活性剤を配合したフッ素たん白泡消火薬剤、あるいは炭化水素系界面活性剤を主成分とした合成界面活性剤泡消火薬剤や炭化水素系界面活性剤とフッ素系界面活性剤を主成分とする水成膜泡消火薬剤が知られている。
【０００４】
また、泡消火設備は、石油コンビナートや駐車場等の上記可燃性の液体による火災のおそれがある大規模施設においては、水の供給源と、泡消火薬剤の貯蔵槽と、これら水と泡消火液剤を混合する混合器と、混合された薬剤に空気を混入させて泡を生成させつつ消火薬剤として放出する泡放出口（フォームヘッド）等から構成されている。
【０００５】
ところで、上記泡消火薬剤のうち、たん白泡火薬剤およびフッ素たん白泡消火薬剤は、臭気を伴うことから、特に駐車場に設置されている泡消火設備のフォームヘッドから放出される泡消火薬剤としては避けられることが多く、主に合成界面活性剤泡消火薬剤、水成膜泡消火薬剤が用いられている。
【先行技術文献】
【特許文献】
【０００６】
【特許文献１】特開平９−１７３４９８号公報
【特許文献２】特開２０１１−８７７９２号公報
【非特許文献１】「フォームヘッド」  財団法人日本消防設備安全センター、平成13年12月1日、p.22-23，38-40
【発明の概要】
【発明が解決しようとする課題】
【０００７】
ところが、これらの合成界面活性剤泡消火薬剤や水成膜泡消火薬剤は、ノルマルヘキサン抽出物質含有量や窒素含有量が高く、特に生物化学的酸素要求量（BOD）が非常に高い。このため、下水道に排出してしまうと環境負荷が高く、下水の排除基準の生物化学的酸素要求量（BOD）の基準値を超えてしまうため廃液として回収しなければならず、設備所有者にとって負担となっている。
【０００８】
また、生物化学的酸素要求量（BOD）を下水の排除基準内に抑えた消火設備試験用泡薬剤（例えば、上記特許文献２）は、主として泡消火設備の点検および消火訓練に用いられる試験用の泡薬剤であるため、上述した泡消火薬剤の技術上の規格を定める省令に準じた泡消火薬剤としての性能が無いため、消火設備に使用することができず、また上記非特許文献１に記載された試験の基準を満足しない。
【０００９】
本発明は、上記事情を鑑みてなされたものであり、下水の排除基準を満足することのできる環境配慮型泡消火薬剤を提供することを課題とするものである。
【課題を解決するための手段】
【００１０】
上記課題を解決するため、請求項１に記載の本発明に係る環境配慮型泡消火薬剤は、有効成分として、一般式：ＲＣＨ＝ＣＨ（ＣＨ２）ｎＳＯ３Ｚ（Ｒは炭素数８〜３０の脂肪族炭化水素基、ｎは０〜５、Ｚはアルカリ金属および／またはアルカリ土類金属）で表されるアルファオレフィンスルホン酸塩と、化学式：Ｃ１２Ｈ２５Ｎ＋（ＣＨ３）２ＣＨ２ＣＯＯ−で表されるラウリルジメチルアミノ酢酸ベタインとを含む環境配慮型泡消火薬剤であって、上記アルファオレフィンスルホン酸塩の有効成分濃度と上記ラウリルジメチルアミノ酢酸ベタインの有効成分濃度の合計は、２．６２７８〜３．８０１０重量％の範囲であることを特徴とするものである。
【００１２】
請求項２に記載の発明は、請求項１に記載の発明において、上記アルファオレフィンスルホン酸塩の有効成分濃度は、１．３〜３．０重量％の範囲であることを特徴とするものである。
【００１３】
請求項３に記載の発明は、請求項１または２に記載の発明において、上記ラウリルジメチルアミノ酢酸ベタインの有効成分濃度は、０．３〜１．３重量％の範囲であることを特徴とするものである。
【発明の効果】
【００１５】
一般的に、フォームヘッドで放出される合成界面活性剤泡消火薬剤は、泡消火薬剤の技術上の規格を定める省令（昭和５０年自治省令第２６号）により、発泡倍率６倍以上、２５％還元時間１分以上、消火時間５分以内とされる基準を満足するものである。
【００１６】
また、上記非特許文献１に記載された試験方法および基準によれば、淡水（全硬度１８４ｐｐｍ（ＪＩＳ  Ｋ０１０１による測定）未満）と硬水（全硬度１８４ｐｐｍ以上）において、発泡倍率が５倍以上及び採取泡容量の２５％還元時間が３０秒以上という基準を満足するものである。
【００１７】
本発明によれば、泡消火薬剤の技術上の規格を定める上記省令において定められた、発泡倍率６倍以上、２５％還元時間１分以上、消火時間５分以内とされる基準を満足し、かつ、上記非特許文献１に記載された試験基準を満足させることができる。
【００１８】
この結果、本発明によれば、下水の排水基準を満足することが可能となり、よって駐車場等の設備における火災に対応した際に、設備所有者による使用済み泡消火薬剤の回収の負担を解決することができる。
【発明を実施するための形態】
【００１９】
以下本発明に係る環境配慮型泡消火薬剤の一実施形態について説明する。
この環境配慮型泡消火薬剤は、その有効成分として炭化水素系アニオン界面活性剤と炭化水素系両性界面活性剤を含むものである。
【００２０】
ここで、上記炭化水素系アニオン界面活性剤としては、アルキルエーテル硫酸エステル塩、アルファオレフィンスルホン酸塩、アルキルベンゼンスルホン酸及びその塩、アルキル硫酸エステル塩、エーテルスルホン酸塩、エーテルカルボン酸塩、スルホコハク酸塩、メチルタウリン酸塩、アラニネート及びその塩、並びにこれらの１種または２種以上の混合物が挙げられる。これらのうち好ましものは、アルキルエーテル硫酸エステル塩、アルファオレフィンスルホン酸塩である。
【００２１】
さらに、特に好ましいものは、一般式：RCH=CH(CH2)nSO3Z  で示されるアルファオレフィンスルホン酸塩である。ここで、Rで表される炭素数８〜３０の脂肪族炭化水素基は、飽和または不飽和のいずれでもよく、また直鎖または分岐のいずれでもよい。例えば、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、エイコシル基、オレイル基、リノレイル基、リノレニル基などが挙げられる。これらのうち、炭素数８〜２０のものが起泡力の観点から好ましく、特に好ましいのはテトラデシル基である。
【００２２】
また、上記一般式におけるnはメチル基の平均モル数を示し、０〜５の範囲である。ちなみに、付加モル数が５を超えると起泡力が悪くなるため好ましくない。
【００２３】
さらに、上記一般式のZは、アルカリ金属、アルカリ土類金属または両者の混合物を示し、例えばリチウム、ナトリウム、カリウム、ルビジウム、セシウム、ベリリウム、マグネシウム、カルシウム、ストロンチウム、バリウム、ラジウム、およびこれらの２種類以上の混合物が挙げられる。これらのうち、ナトリウム、カリウム、マグネシウム、カルシウムが好適である。
【００２４】
上記アルファオレフィンスルホン酸塩は、アルファオレフィンスルホン化により製造することができるが、通常はアルケニルスルホン酸塩とヒドロキシアルカンスルホン酸塩の混合物として得ることができるために、市販品のアルケニルスルホン酸塩およびヒドロキシアルカンスルホン酸塩の混合物としても入手することが可能である。
【００２５】
また、炭化水素系両性界面活性剤としては、本発明の起泡剤の起泡性を阻害しないものを用いる必要があり、例えば、アラニン型、イミダゾリニウムベタイン型、アルキルベタイン型、アミノプロピルベタイン型、アミノジプロピオン型などが挙げられ、これらの１種または２種以上の混合物が挙げられる。
【００２６】
これらのうち、特に好ましいものは、化学式：Ｃ１２Ｈ２５Ｎ＋（ＣＨ３）２ＣＨ２ＣＯＯ−で示されるラウリルジメチルアミノ酢酸ベタインである。
【００２７】
また、上記環境配慮型泡消火薬剤には、必要に応じて、ノニオン界面活性剤、水溶性無機金属塩、水溶性有機溶媒、水溶性高分子、分散剤などを併用しても良い。特に、ノニオン界面活性剤や水溶性有機溶媒は、泡沫の安定性を向上させる効果が得られる。
【００２８】
上記ノニオン界面活性剤としては、アルキルエーテル型、アルキルフェノール型、アルキルエステル型、アミンオキサイド型、などが挙げられ、水溶性無機金属塩としては、例えばマグネシウム塩（硫酸マグネシウム、塩化マグネシウムなど）、カルシウム塩（硫酸カルシウム、塩化カルシウムなど）などが挙げられる。
【００２９】
また、水溶性有機溶媒としては、本発明の環境配慮型泡消火薬剤の起泡性を阻害しないものを用いる必要があり、例えばセロソルブ系溶剤（メチルセロソルブ、エチルセロソルブ、ブチルセロソルブなど）、カルビトール類（エチルカルビトール、ブチルカルビトールなど）、エチレンオキシドの付加モル数が３〜１０のポリオキシエチレン低級アルキルエーテル、ジオール類（エチレングリコール、ジエチレングリコールなど）、アルコール類（エチルアルコール、ラウリルアルコールなど）などが挙げられる。
【００３０】
さらに、水溶性高分子としては、例えばセルロース系誘導体（メチルセルロース、カルボキシメチルセルロース、ヒドロキシエチルセルロースなど）、ポリビニルアルコール、ポリエチレングリコールなどが挙げられ、分散剤としては、例えばナフタレンスルホン酸系、アルキルナフタレンスルホン酸系、ポリカルボン酸系、ポリアクリル酸系などが挙げられる。
【００３１】
本発明に係る環境配慮型泡消火薬剤を使用するに際しては、あらかじめ使用濃度まで希釈した水溶液の形にして、ポンプもしくはガス圧による圧送によって使用する方法や、消火設備のラインに、この環境配慮型泡消火薬剤が組み込まれるようにして使用する方法などを採用することができる。
【実施例１】
【００３２】
以下に実施例を挙げて本発明の効果を具体的に説明するが、本発明はこれに限定されるものではない。
表１に示すように、炭化水素系アニオン界面活性剤であるアルファオレフィンスルホン酸ナトリウム（商品名「リポランLB-440」、ライオン（株）製：RCH=CH(CH2)nSO3Na（Rの炭素数１４）と、炭化水素系両性界面活性剤であるラウリルジメチルアミノ酢酸ベタイン（商品名「アンヒトール20BS」、花王（株）製：Ｃ１２Ｈ２５Ｎ＋（ＣＨ３）２ＣＨ２ＣＯＯ−を用い、５０％硫酸（試薬１級）にてpHを調整して、環境配慮型泡消火薬剤を作成した。
【００３３】
【表１】
0006449063.tif 000002
【００３４】
５０％硫酸の調整は、水２０ml：硫酸２０mlを混合して作製した。
このようにして得られた環境配慮型泡消火薬剤３mlを、水９７mlに希釈調整して、以下の試験を行った。
【００３５】
＜下水の排除基準＞ 
昭和３４年４月２２日政令第１４７号；下水道法令施行令に基づき、下水の排除基準の試験を行なった。表２はその結果を示すものである。
【００３６】
【表２】
0006449063.tif 000003
【００３７】
表２に見られるように、本発明に係る環境配慮型泡消火薬剤によれば、下水道法令施行令、下水の排除基準の基準値を満足していることが判る。
【００３８】
次いで、表１に示した環境配慮型泡消火薬剤を用いて、泡消火薬剤の技術上の規格を定める省令に準じた標準発泡ノズルを使用して泡消火薬剤としての発泡試験および消火試験を実施した。
【００３９】
＜泡消火薬剤発泡試験＞ 
試験条件
標準発泡ノズル：合成界面活性剤泡消火薬剤試験用
泡採取容器：泡試料コンテナ（容量：１４００ｍｌ）
放水量：１０．０Ｌ／分
放水圧力：０．７ＭＰａ
水温・気温：２０±２℃  
【００４０】
発泡は、３％に希釈した環境配慮型泡消火薬剤を合成界面活性剤泡消火薬剤試験用標準発泡ノズルで放出し、気泡を泡試料コンテナ（容量：１４００ml）に採りその質量（ｇ）を測定し、次式により発泡倍率を算出した。
発泡倍率（倍）＝１４００／気泡の質量（ｇ）
【００４１】
２５％還元時間は、上記の方法により採取した泡沫が全体容量の２５％の水溶液に戻るまでの時間を測定する。ここで、泡沫が全体容量の２５％になるまでの還元量は次式により求めた。
２５％還元量（g）＝ 泡沫の質量（ｇ）×２５％  
（判定基準）発泡倍率６倍以上、２５％還元時間１分以上
【００４２】
＜泡消火薬剤消火試験＞
消火試験は、３％に希釈した環境配慮型泡消火薬剤を合成界面活性剤泡消火薬剤試験用標準発泡ノズルで８分間放出し、消火するまでの時間を計測した。
試験条件
標準発泡ノズル：合成界面活性剤泡消火薬剤試験用
放水量：１０．０Ｌ／分
放水圧力：０．７ＭＰａ
水温・気温：２０±２℃  
試験装置：鉄製燃焼皿（長さ：２００cm、幅：２００cm、深さ：３０cm）
（判定基準）８分間放射し、５分以内に消火するものであること。
表３は、これらの結果を示すものである。
【００４３】
【表３】
0006449063.tif 000004
【００４４】
表３から、本発明に係る環境配慮型泡消火薬剤は、泡消火薬剤の技術上の規格を定める省令において定められた、発泡倍率６倍以上、２５％還元時間１分以上、消火時間５分以内とされる規格を満足していることが判る。
【００４５】
そこで次に、本発明に係る環境配慮型泡消火薬剤と、他の泡消火薬剤とを対比するために、以下の試験を行った。
先ず、上述したアルファオレフィンスルホン酸ナトリウム（商品名「リポランLB-440」、ライオン（株）製：RCH=CH(CH2)nSO3Naと、ラウリルジメチルアミノ酢酸ベタイン（商品名「アンヒトール20BS」、花王（株）製：Ｃ１２Ｈ２５Ｎ＋（ＣＨ３）２ＣＨ２ＣＯＯ−を使用して、表４に示す配合によって実施例１〜４および比較例１、２の泡消火薬剤を作製した。
【００４６】
そして、５０％硫酸（試薬１級、和光純薬工業（株）製）にてpHを調整した泡消火薬剤３ｍｌと水９７ｍｌについて、生物化学的酸素要求量（BOD）およびフォームヘッドと組み合わせた発泡試験と消火試験を実施した。
【００４７】
【表４】
0006449063.tif 000005
【００４８】
発泡試験および消火試験は、上記非特許文献１に記載された試験方法によるフォームヘッドの性能評定に準じ、フォームヘッドと泡消火薬剤を組み合わせて試験をした。
【００４９】
＜発泡試験＞
試験条件
泡放出口：フォームヘッド（一般財団法人日本消防設備安全センター性能評定品）
ヘッド個数：１個
試験装置：泡試料コレクター（合成界面泡消火薬剤）
泡採取容器：メスシリンダー（１０００ｍｌ）
放水量：３５ｌ／ｍｉｎ
放水圧力：０．２５ＭＰａ
水温・気温：２０±２℃
【００５０】
発泡は、３％希釈した泡消火薬剤を加圧装置にて圧送し、フォームヘッドを用いて放出し発泡させ、発泡した泡沫を泡試料コレクターにて清流したものをメスシリンダー（容量：１０００ml）にて採取しその質量（ｇ）を測定し、次式により発泡倍率を算出した。
発泡倍率（倍）＝１０００（ｍｌ）／泡沫の質量（ｇ）
【００５１】
２５％還元時間は、上記の方法により採取した泡沫が全体容量の２５％の水溶液に戻るまでの時間を測定する。泡沫が全体容量の２５％になるまでの還元量は次式により求めた。
２５％還元量（g）＝ 泡沫の質量（ｇ）×２５％  
（判定基準）発泡倍率５倍以上、２５％還元時間３０秒以上
【００５２】
＜消火試験＞ 
試験条件  
消火試験はヘッドを４個正方形に配置し、予燃焼時間１分経過後に３％に希釈した環境配慮型泡消火薬剤を１分間放射して試験した。
泡放出口：フォームヘッド（一般財団法人日本消防設備安全センター性能評定品）
ヘッド個数：４個（正方形配置）
放水量：３５ｌ／ｍｉｎ
放水圧力：０．２５ＭＰａ
水温・気温：２０±２℃
試験装置：鉄製燃焼皿（長さ：200cm、幅：100cm、深さ：20cm）
（判定基準）１分間放射したとき消火するものであること。
【００５３】
＜生物化学的酸素要求量（BOD）＞
生物化学的酸素要求量（BOD）は、JIS  K０１０２−２１に準じて試験を行った。
希釈水の調整：ばっ気した水１lにA液、B液、C液、D液、を各１ml加える。
A液：リン酸水素二カリウム２１．７５ｇ、リン酸二水素カリウム８．５ｇ、リン酸水素ナトリウム・１２水４４．６ｇ、塩化アンモニウム１．７ｇを水に溶かした１０００mlとする。
B液：硫酸マグネシウム七水和物２２．５ｇを水に溶かした１０００mlとする。
C液：塩化カルシウム２７．５ｇを水に溶かした１０００mlとする。
D液：塩化鉄（III）六水和物１．６ｇを水に溶かした１０００mlとする。
【００５４】
＜希釈試料の調整＞
有栓形メスシリンダー１０００mlに希釈液を約半分入れ、前処理した試料を加え、希釈水で１０００mlとする。栓をして静かに混合する。同様に希釈倍率の異なる物を調整する。培養瓶に希釈試料を入れ、１本は培養前の試料とし他は２０±１℃に調整した恒温槽に入れて５日間培養する。
【００５５】
希釈試料は、調整後１５分間放置したものと、恒温槽で５日間培養したものについて、溶存酸素を隔膜電極法にて測定し、次式により生物化学的酸素要求量（BOD）を算出する。
BOD＝（D１−D2）／P
ここで、BOD：生物化学的酸素要求量（ｍｇO／ｌ）
D１：希釈試料を調整してから１５分間後の溶存酸素（ｍｇO／ｌ）
D２：培養後の希釈試料の溶存酸素（ｍｇO／ｌ）
P：希釈資料中の試料の占める割合（試料／希釈試料）である。
【００５６】
＜隔膜電極法＞
溶存酸素測定器に亜硫酸ナトリウム（２５ｇ→５００ｍｌ）を注入し、マグネットスターラーで攪拌しながら電極を挿入してゼロ調整をおこなう。次に溶存酸素飽和水を注入して「JIS K０１０２  表３２．１水中の飽和溶存酸素」から指示値を合わせる。次に試料を注入して生物化学的酸素要求量（BOD）を測定する。
表５は、上記試験の結果を示すものである。
【００５７】
【表５】
0006449063.tif 000006
【００５８】
表５に示す結果から、実施例１〜４は、下水道法令施行令、下水の排除基準の生物化学的酸素要求量、６００ｍｇ／ｌ未満の基準値を満足し、かつ上記非特許文献１に記載された試験方法による、フォームヘッドで用いる泡消火薬剤の基準である発泡倍率５倍以上、２５％還元時間３０秒以上、１分間泡放射後に消火できる性能を満足していることが判る。
【００５９】
これに対して比較例１は、消火時間が１分以上であり、比較例２は、生物化学的酸素要求量が６００ｍｇ／ｌ以上となっているので、いずれも上記の条件を満たしていない。
【産業上の利用可能性】
【００６０】
本発明に係る環境配慮型泡消火薬剤は、フォームヘッドや泡消火栓などの泡消火設備や消火器用泡薬剤、消防隊が扱っている泡消火薬剤への利用可能である。